(57)【要約】【課題】超音波探触子を用いて生体からの反射波により画像を得ることができる領域（撮像領域）と、その領域外にある挿入物、特にガイドワイヤ先端との関係を視覚的に容易に把握することができる技術を提供する。【解決手段】光音響技術を搭載したガイドワイヤと、超音波撮像装置とを組み合わせたカテーテル治療支援技術において、超音波探触子を構成する素子アレイに到達する光音響波の到達時間差、又は撮像領域からの距離に依存する光音響信号発生源の画像の変化を用いてガイドワイヤ先端位置を推定し、この推定結果を用いて撮像位置とガイドワイヤ先端位置との関係を把握する。【選択図】図４
2020121039.tif 000002
【特許請求の範囲】
【請求項１】
被検体に対し超音波探触子を介してビームフォームされた送信超音波信号を送信し、当該超音波信号が照射された領域からの反射超音波信号を受信し、前記領域の超音波画像を撮像する撮像部と、
前記被検体の内部に挿入された超音波発生源からの超音波を、前記超音波探触子を介して受信し、解析する超音波信号解析部と、を備え、
前記超音波信号解析部は、前記超音波探触子を構成する複数の素子がそれぞれ受信する超音波の受信時間の差を利用して、前記領域から外れた位置にある前記超音波発生源の位置を推定することを特徴とする超音波撮像装置。
【請求項２】
請求項１に記載の超音波撮像装置であって、
前記超音波信号解析部は、前記超音波の各素子への到達時間の時間差を用いて前記領域に対する前記超音波発生源の位置を推定することを特徴とする超音波撮像装置。
【請求項３】
請求項２に記載の超音波撮像装置であって、
前記超音波信号解析部は、前記超音波発生源に超音波を発生させるための光信号を生成する光発生部から、前記光信号の発生時刻に関する情報を受け取り、前記到達時間の時間差を算出することを特徴とする超音波撮像装置。
【請求項４】
請求項２に記載の超音波撮像装置であって、
前記超音波信号解析部は、前記超音波の受信時間の時間差と各素子間の距離とを用いた連立方程式に基づき解析を行うことにより、前記到達時間の時間差及び前記超音波発生源の位置を推定することを特徴とする超音波撮像装置。
【請求項５】
請求項１に記載の超音波撮像装置であって、
前記超音波探触子は、前記素子が一次元方向に配列した１Ｄアレイ探触子であって、
前記超音波信号解析部は、前記超音波探触子のエレベーション方向のあおり角を異ならせて取得した超音波を用いて、あおり角と前記超音波の信号強度との関係を取得し、前記関係を用いて、前記超音波発生源のエレベーション方向の距離を算出する距離算出部を備えたことを特徴とする超音波撮像装置。
【請求項６】
請求項１に記載の超音波撮像装置であって、
前記超音波探触子は、前記素子が二次元方向に配列した２Ｄアレイ探触子であって、
前記超音波信号解析部は、第一の方向に配列する素子群が受信する超音波を用いて、前記超音波発生源の前記第一の方向の距離を算出する第一距離算出部と、前記第一の方向に直交する第二の方向に配列する素子群が受信する超音波を用いて、前記超音波発生源の前記第二の方向の距離を算出する第二距離算出部と、を備えたことを特徴とする超音波撮像装置。
【請求項７】
請求項５に記載の超音波撮像装置であって、
前記超音波探触子は、一次元方向に配列した素子列を複数有する１Ｄアレイ探触子であることを特徴とする超音波撮像装置。
【請求項８】
請求項１に記載の超音波撮像装置であって、
前記超音波探触子が受信した超音波信号を用いて超音波画像を形成する超音波画像形成部をさらに備え、
前記超音波形成部は、前記超音波発生源からの前記超音波を用いて、前記超音波発生源の画像を生成することを特徴とする超音波撮像装置。
【請求項９】
請求項８に記載の超音波撮像装置であって、
前記超音波信号解析部は、前記超音波発生源の画像における、前記超音波発生源のスプリットを検出し、検出したスプリットの間隔を用いて前記超音波発生源のラテラル方向の距離を算出することを特徴とする超音波撮像装置。
【請求項１０】
請求項９に記載の超音波撮像装置であって、
前記超音波探触子は、一次元方向に配列した素子列が中央位置に対し非対称であり、
前記超音波信号解析部は、前記スプリットの間隔に現われる非対称性をもとに、前記領域に対する前記超音波発生源の方向を判定することを特徴とする超音波撮像装置。
【請求項１１】
請求項１に記載の超音波撮像装置であって、
前記撮像部が取得した前記超音波画像を表示装置に表示させる表示画像作成部をさらに備え、
前記表示画像作成部は、前記超音波信号解析部が推定した前記超音波発生源の位置に関する情報を前記超音波画像とともに前記表示装置に表示させることを特徴とする超音波撮像装置。
【請求項１２】
請求項１１に記載の超音波撮像装置であって、
前記表示装置に表示させる情報は、前記領域に対する前記超音波発生源の方向及び位置の少なくとも一方を識別可能にする情報であることを特徴とする超音波撮像装置。
【請求項１３】
請求項１に記載の超音波撮像装置であって、
前記超音波探触子を自動操作するロボットアームと、当該ロボットアームの動きを制御する制御部と、をさらに備え、
前記制御部は、前記超音波信号解析部の解析結果を用いて、前記超音波探触子のあおり動作を制御することを特徴とする超音波撮像装置。
【請求項１４】
請求項１に記載の超音波撮像装置であって、
前記撮像部の動作を制御する制御部をさらに備え、
前記制御部は、前記超音波発生源に超音波を発生させるための光信号を生成する光発生部から、前記光信号の発生時刻に関する情報を受け取り、前記光信号の発生から所定の遅延時間経過後に前記撮像部による撮像を実行するよう前記撮像部を制御することを特徴とする超音波撮像装置。
【請求項１５】
被検体に対し超音波探触子を介してビームフォームされた超音波信号を送信し、当該超音波信号が照射された領域からの反射超音波信号を受信し、前記領域の超音波画像を撮像する撮像部を備えた超音波撮像装置、及び、
被検体内に挿入される治療具に固定された超音波発生源と、前記超音波発生源に超音波を発生させるための光信号を生成する光発生部と、前記光発生部から前記超音波発生源に前記光信号を導光する導光路と、を備えた治療デバイスを含む治療支援システムであって、
前記超音波撮像装置は、前記被検体の内部に挿入された超音波発生源からの超音波を、前記超音波探触子を介して受信し、解析する超音波信号解析部をさらに備え、
前記超音波信号解析部は、前記超音波探触子を構成する複数の素子がそれぞれ受信する超音波の受信時間の差を用いて、前記領域から外れた位置にある前記超音波発生源の位置を推定することを特徴とする治療支援システム。
【請求項１６】
請求項１５に記載の治療支援システムであって、
前記超音波探触子を自動操作するロボットと、当該ロボットを制御する制御部とをさらに備え、
前記制御部は、前記超音波信号解析部の結果に応じて、前記ロボットを制御し、前記超音波探触子の位置及び姿勢の少なくとも一方を変化させることを特徴とする治療支援システム。
【請求項１７】
超音波探触子を解して被検体に照射された超音波信号の反射波を受信し、超音波信号が照射された領域の超音波画像を作成するとともに、前記被検体内部に挿入された超音波発生源が発生する超音波を前記超音波探触子で受信し、受信した超音波を用いて、前記領域に対する前記超音波発生源の位置を検出し、前記超音波画像とともに表示する画像処理方法であって、
前記超音波探触子を構成する各素子への超音波の到達時間の差または前記超音波から作成した前記超音波発生源の画像に現われるスプリット間の間隔を用いて、前記領域までの前記超音波発生源の距離を算出することを特徴とする画像処理方法。
【発明の詳細な説明】
【技術分野】
【０００１】
本発明は、光音響等の超音波発生源を搭載したガイドワイヤを体内に挿入する際に、超音波撮像装置を用いて支援する技術に関する。
【背景技術】
【０００２】
カテーテル治療は、開胸等の手術と比較し、患者負担が少ない術式であるため、主に血管狭窄などの治療に広く採用されている。カテーテル治療では、治療対象となる領域とカテーテルとの関係を把握することが重要であり、それを支援する撮像方法としてＸ線透視が利用されている。超音波画像を支援画像として用いる試みもあるが、ガイドワイヤ先端を超音波で描出することは容易ではなく、普及には至っていない。
【０００３】
一方、穿刺針については、針の先端から光音響信号を発生させる光音響技術を穿刺針に搭載し、超音波撮像装置の超音波探触子で光音響信号を検出することにより針先端の位置を検出する技術も提案されている（特許文献１、特許文献２）。
【０００４】
具体的には、特許文献１には、パルスレーザ発生源からレーザ光を針に照射し、針を伝播した光によって針先端から発生する光音響波を超音波撮像装置の超音波探触子で検出し、光音響画像として描出する技術が開示されている。特許文献２には、超音波探触子の姿勢を変えながら光音響画像を取得し、信号が最も強くなる超音波探触子の位置（姿勢）と、超音波撮像装置による撮像（ノーマルモードの撮像）における超音波探触子の位置とが一致するか否かを判定し、超音波画像（例えばＢモード画像）に対する針先端の位置関係を把握可能にする技術が開示されている。
【先行技術文献】
【特許文献】
【０００５】
【特許文献１】特表２０１３−５１１３５５号公報
【特許文献２】特開２０１５−１３９４６５号公報
【発明の開示】
【発明が解決しようとする課題】
【０００６】
特許文献２に記載された技術では、挿入物（穿刺針）の先端が、超音波探触子の真下にあるか否かを判定することができ、それにより、表示超音波画像上に描画されている針先端が、実際には、ずれた位置にあることやずれている方向を知ることができるが、治療対象領域と実際に挿入物先端が存在する位置との関係を視覚的に把握することができない。また、この技術では超音波探触子の姿勢を変えながら複数の光音響画像を取得するピーク検索モードの撮像を必須とし、高い時間分解能で超音波画像（ノーマルモード撮像）を表示させることができない。
【０００７】
被検体内にカテーテル等を挿入する場合、画像を見ながらカテーテル挿入作業に集中するために、撮像のための操作（探触子の操作）は極力少なく、且つ治療のターゲットと治療具との位置関係を逐次視認性よく把握することは望まれる。
【０００８】
本発明は、超音波探触子を用いて生体からの反射波により画像を得ることができる領域（撮像領域）と、その領域外にある挿入物、特にガイドワイヤ先端との関係を視覚的に容易に把握することができる技術を提供することを課題とする。
【課題を解決するための手段】
【０００９】
上記課題を解決するため、本発明は、超音波発生源を搭載したガイドワイヤと、超音波撮像装置とを組み合わせたカテーテル治療支援技術において、超音波探触子を構成する素子アレイに到達する超音波（超音波発生源からの超音波）の到達時間差或いは撮像領域からの距離に依存する超音波発生源の画像を用いてガイドワイヤ先端位置を推定し、この推定結果を用いて撮像位置とガイドワイヤ先端位置との関係を把握する。
【００１０】
即ち、本発明の超音波撮像装置は、被検体に対し超音波探触子を介してビームフォームされた超音波信号を送信し、当該超音波信号の照射領域からの反射超音波信号を受信し、前記照射領域で決まる回折波領域の超音波画像を撮像する撮像部と、前記被検体の内部に挿入された超音波発生源からの超音波を、前記超音波探触子を介して受信し、解析する超音波信号解析部と、を備え、前記超音波信号解析部は、前記超音波探触子を構成する複数の素子がそれぞれ受信する超音波（超音波発生源からの超音波）の受信時間或いは到達時刻の差を利用して、前記回折波領域から外れた位置にある前記超音波発生源の位置を推定する。
【００１１】
また本発明の治療支援システムは、被検体に対し超音波探触子を介してビームフォームされた超音波信号を送信し、当該超音波信号が照射された領域からの反射超音波信号を受信し、前記領域の超音波画像を撮像する撮像部を備えた超音波撮像装置、及び、被検体内に挿入される治療具に固定された超音波発生源と、前記超音波発生源に超音波信号を発生させるための光信号を生成する光発生部と、前記光発生部から前記光音響発生源に前記光信号を導光する導光路と、を備えた光音響デバイスを含む治療支援システムであって、前記超音波撮像装置は、前記被検体の内部に挿入された超音波発生源からの超音波を、前記超音波探触子を介して受信し、解析する超音波信号解析部をさらに備え、前記超音波信号解析部は、前記超音波探触子を構成する複数の素子がそれぞれ受信する超音波の受信時間（到達時刻）の差を用いて、前記領域から外れた位置にある前記超音波発生源の位置を推定することを特徴とする。
【発明の効果】
【００１２】
本発明によれば、素子アレイに到達する超音波の時間差を用いることにより、素子アレイと超音波発生源との幾何学的な位置関係を算出することができ、これにより素子アレイから超音波信号が照射される領域の外に存在する挿入物先端の位置を把握することができる。また、このような位置情報は、超音波の発生後の短時間で得ることができるので、撮像中の画像上に直ちに表示させることができる。
【図面の簡単な説明】
【００１３】
【図１】本発明の治療支援システムの実施形態の全体概要を示す図。
【図２】超音波源搭載ワイヤの一部断面を示す図。
【図３】図１の治療支援システムの超音波撮像部（超音波撮像装置）の詳細を示す図。
【図４】撮像及び超音波信号解析時の動作の流れを示す図。
【図５】撮像領域と超音波発生源との関係を説明する図。
【図６】素子位置と時間差との関係を示す図。
【図７】変形例の治療支援システムの全体概要を示す図。
【図８】第二実施形態における解析部の処理の流れを示す図。
【図９】（ａ）はあおり角の操作を説明する図、（ｂ）はあおり角と信号強度との関係を示すグラフ。
【図１０】第三実施形態における解析部の処理を説明する図で、（ａ）は回折波領域に対する超音波発生源の位置を示す図、（ｂ）各位置における超音波発生源の画像を示す図。
【図１１】第三実施形態の変形例で用いる非対称超音波探触子の一例を示す図。
【図１２】第三実施形態の変形例で取得される超音波発生源の画像の一例を示す図。
【図１３】第四実施形態の治療支援システムの実施形態の全体概要を示す図。
【図１４】第四実施形態の制御部及び解析部の処理の流れを示す図。
【図１５】（ａ）、（ｂ）は、それぞれ、ガイドワイヤ先端の位置情報として方向を表示する表示例を示す図。
【図１６】三次元画像におけるガイドワイヤ先端位置の表示例を示す図。
【図１７】信号強度変化の表示例を示す図。
【発明を実施するための形態】
【００１４】
以下、本発明の超音波撮像装置と、それを用いたカテーテル治療支援システム（以下、支援システムと略す。）の実施形態を説明する。
【００１５】
まず支援システムの全体概要を、図１を参照して説明する。図１に示すように、本実施形態の支援システム１００は、超音波発生デバイス１０を搭載した生体挿入具１１と、超音波探触子２０を備え、生体挿入具が挿入された被検体８０の超音波画像を取得する超音波撮像部３０及びその表示部６０と、を備える。
【００１６】
生体挿入具１１は、例えば、バルーンカテーテルやマイクロカテーテル等の治療用器具やこれら治療用器具を目的部位に運ぶためのガイドワイヤである。本実施形態では一例として生体挿入具がガイドワイヤである場合を説明する。以下の実施形態では、超音波発生デバイス１０が光音響信号（以下、ＰＡ信号という）を発生するＰＡ信号発生源である場合を例に説明するが、超音波発生デバイス１０は、超音波を発生させる目的としては圧電素子を用いてもよい。超音波発生デバイス１０は、図２に示すように、フレキスブルな中空のガイドワイヤ１１の中空部内に配置された光ファイバ１２と、光ファイバ１２の挿入側端面に固定された超音波発生源（ＰＡ信号発生源）１３と、光ファイバ１２の他端（超音波発生源１３が固定された端部と反対側の端部）に接続され、レーザ光を発生する光発生部１５とを備え、光ファイバ１２は光発生部１５が発生するレーザ光を先端の超音波発生源１３に導く導光部材として機能する。これら超音波発生デバイス１０は中空のガイドワイヤ１１を含めて光音響源搭載ワイヤという。
【００１７】
ＰＡ信号発生源１３は、レーザ光を受けて断熱膨張することによってＰＡ信号等の超音波を発する材料、例えば、公知の色素（光増感剤）、金属ナノ粒子、炭素ベース化合物体などで構成される。ＰＡ信号発生源１３を含む光ファイバ１２の先端は、樹脂性の封止部材１４で覆われている。なお図２では、ＰＡ信号発生源１３はワイヤ１１の先端に位置つけられているが、ワイヤ先端には限られない。
【００１８】
超音波撮像部３０は、ＰＡ信号を処理する機能（超音波信号解析部）が追加されている以外は、一般的な超音波撮像装置と同様の構成を有し、図３に示すように、超音波探触子２０に超音波信号を送信する送信部３１、超音波探触子２０が検出した反射波（ＲＦ信号）を受信し、整相、加算等の処理を行う受信部３２、及び、受信部３２が受信したＲＦ信号の処理を行う信号処理部３５を備える。また超音波撮像部３０は、超音波撮像部３０及びその付属装置や必要に応じて光音響デバイス１０を制御する制御部４０、ユーザが撮像に必要な条件や指令を入力するための入力部５０、超音波撮像部３０が取得した超音波画像やＧＵＩ（Ｇｒａｐｈｉｃ  Ｕｓｅｒ  Ｉｎｔｅｒｆａｃｅ）等を表示する表示部６０、信号処理部３５の処理結果である画像等を記憶するメモリ７０を備えている。
【００１９】
信号処理部３５は、反射波であるＲＦ信号を用いてＢモード画像等の超音波画像を作成する超音波画像形成部３５１と、ＰＡ信号発生源１３から発せられ超音波探触子２０の各トランスデユーサ素子が検出したＰＡ信号を検出し、ＰＡ信号発生源１３の位置に関する情報を推定する超音波信号解析部（ＰＡ信号解析部）３５３（以下、単に解析部という）と、表示部６０に表示する画像を生成する表示画像形成部３５５とを備える。超音波画像形成部３５１は、Ｂモード等の被検体の超音波画像のほかに、ＰＡ信号を用いてＰＡ信号発生源１３の画像（光音響画像）を作成する機能を備えていてもよい。解析部３５３は、ＰＡ信号発生源１３の位置や方向（まとめて位置情報という）を推定する。
【００２０】
信号処理部３５を構成する各部と制御部４０の機能の一部又は全部は、ＣＰＵ或いはＧＰＵとメモリとを備えた計算機にその機能をプログラムしたソフトウェアをアップロードすることにより実現することが可能である。また各部の機能の一部又は全部を、電子回路や、ＡＳＩＣ、ＦＰＧＡなどのハードウェアで実現することも可能である。なお制御部４０は信号処理部３５とは別の計算機を用いてもよい。
【００２１】
超音波探触子２０は、多数のトランスデユーサ素子が一次元方向に配列した１Ｄアレイ探触子、１Ｄアレイ探触子のアレイ配列方向と直交する方向に２ないし３列のアレイ配列を持つ１Ｄ３配列探触子や、二次元方向に多数のアレイ配列を持つ２Ｄアレイ探触子、など種々の超音波探触子２０を用いることができる。解析部３５３は、用いる超音波探触子の種類に応じた解析手法を採用することができる。
【００２２】
次に、このような構成の超音波撮像装置の動作の概要を説明する。ここでは、通常の超音波撮像を行いながら、カテーテル等をガイドする光音響デバイス１０搭載ガイドワイヤを被検体の体内に挿入し、ガイドワイヤの先端位置をＰＡ信号によってモニタリングする場合を説明する。通常の撮像を撮像モード、ＰＡ信号を用いたモニタリングをＰＡ解析モードという。
【００２３】
撮像モードの動作は、従来の超音波撮像装置と同様であり、超音波探触子２０を通じて送信部３１から超音波の送信を行い、送信した超音波が被検体内部の組織から反射する反射波を超音波探触子２０で受信する。受信部３２は、フレームごとに受信した受信信号に対し整相、加算などの処理を行い、信号処理部３５に送る。２Ｄ超音波探触子２０を用いた場合、二次元方向と深度方向とを合わせた三次元方向の反射波の強度に対応する情報が得られる。信号処理部３５の超音波画像形成部３５１は、受信部３２からのフレーム信号を用いて超音波画像、例えば、Ｂモード画像を作成し、表示画像形成部３５５に渡す。表示画像形成部３５５は、Ｂモード画像を付帯情報とともに表示部６０に表示する。
【００２４】
一方、ＰＡ解析モードでは、図４に示すように、カテーテルを被検体の体内、例えば血管内に挿入しながら、一時、送信部３１の動作を停止して（Ｓ４０１）、光発生部１５を作動させて、光発生部１５からパルス状のレーザ光を照射する（Ｓ４０２）。光発生部１５が発した光が、体内に挿入されたガイドワイヤ１０の光ファイバ１２を介してＰＡ信号発生源１３に照射されると、ＰＡ信号発生源１３を構成する光音響材料からＰＡ信号（超音波）が発生し（Ｓ４０３）、超音波探触子２０の各素子で検出される（Ｓ４０４）。
【００２５】
図５に示すように、超音波探触子２０で受信する超音波信号は、撮像モードにおいては、超音波探触子２０から照射される超音波ビームがビームフォーミングされて広がる範囲（斜線で示す範囲）にある被検体組織８０Ａから反射した反射波であり、この範囲内が撮像領域８１である。即ち、探触子アレイの各素子から回折波が球面状に伝播する領域であり、ここでは回折波領域とも呼ぶ。この回折波領域８１からの反射波が探触子アレイに到達する時間は概ね深度に依存する。これに対し、ＰＡ信号発生源１３からのＰＡ信号は、反射波ではなく、直接、探触子アレイの各素子に到達する信号であり、ＰＡ信号発生源１３における光音響信号の発生時から素子検出時までの時間は、ＰＡ信号発生源１３と素子との間の距離に比例する。
【００２６】
ここでＰＡ信号発生源１３の位置が超音波探触子２０のラテラル方向（素子の配列方向）について回折波領域より外側にずれているとすると、ＰＡ信号が各素子に到達する時間には時間差を生じる。
【００２７】
受信部３２は、時間差を持って各素子が検出したＰＡ信号を整相等の処理を行うことなく、解析部３５３に渡す。解析部３５３は、素子毎に検出したＰＡ信号と素子毎の受信時間（ＰＡ信号の到達時間）に関する情報を用いてＰＡ信号発生源１３の位置情報を推定する（Ｓ４０５）。
【００２８】
表示画像形成部３５５は、解析部３５３からＰＡ信号発生源１３の位置に関する情報を受け取り、Ｂモード画像に重ねた表示画像や、付加的情報として示す表示画像を作成し、表示部６０に表示させる（Ｓ４０６）。表示部６０に位置情報を表示する仕方には種々の態様があり、後述の実施形態において説明する。
【００２９】
光発生部１５からのレーザ光照射後、所定の待機時間後に送信部２１は停止していた超音波送信（撮像モードの計測）を再開し（Ｓ４０７、Ｓ４０８）、取得した超音波画像を表示部６０に表示する。撮像モードを再開するための待機時間は、超音波探触子２０による光音響信号の検出と解析部３５４による解析に必要な時間であればよく、制御部４０は、光発生部１５における光の照射をトリガー信号として、所定の待機時間を持って撮像モードを再開させることができる。
【００３０】
このような撮像モードと解析モードの撮像を、例えば、ガイドワイヤの先端が回折波領域に侵入するまで、或いはターゲット位置に到達するまで複数回繰り返す（Ｓ４０９）。このようなモードの切り替えは制御部４０の制御のものとで行われるが、適宜、入力部５０を介してユーザによる調整を受け入れてもよい。
【００３１】
なお解析モードでは、ＰＡ信号を用いた解析のみを行うこととしたが、超音波画像形成部３５１が、撮像モードにおける超音波反射信号と同様にＰＡ信号を処理し、ＰＡ信号発生源１３の画像（ＰＡ画像という）を作成してもよい。この画像は、ＰＡ信号発生源１３のみが輝度情報を持つ画像であり、ＰＡ信号発生源１３の位置は、回折波領域の比較的深度の深い位置になる。ＰＡ画像は、Ｂモード画像とともに表示してもよいし、解析部３５３が位置推定にＰＡ画像の情報を用いてもよい。
【００３２】
本実施形態の超音波撮像装置によれば、目的部位を撮像しながら、その間に実行される解析モードにおいてカテーテルをガイドするガイドワイヤ先端位置をモニタリングして、撮像モードで取得した超音波画像上に位置に関する情報を表示させることにより、ユーザは撮像対象である部位にガイドワイヤが近づく様子をその画像上で確認することができる。
【００３３】
次に、解析部３５３においてＰＡ信号発生源１３の位置を解析する手法と、解析結果の表示方法の各実施形態を説明する。各実施形態において、超音波撮像装置及びその信号処理の構成は特に断らない限り同様であり、適宜、図３の構成を参照する。
【００３４】
＜第一実施形態＞
本実施形態では、解析部３５３は、１Ｄアレイ探触子２０Ａの各素子が検出した超音波発生源１３からの超音波（ビーコン超音波信号）の到達時間の時間差を用いて、超音波発生源１３のラテラル方向の距離を推定する。本実施形態でも、超音波発生源１３が発する超音波がＰＡ信号である場合を例として説明する。
【００３５】
図５に示したように、ガイドワイヤ１１を血管（８０Ａ）内に挿入して治療部位（ターゲット）に進める場合、血管の走行に沿った面を撮像断面として撮像すると、ガイドワイヤは撮像領域から左右いずれかから撮像領域に進行してくる。従ってラテラル方向の距離を推定することにより、ガイドワイヤがどの程度ターゲットに近づいているかを知ることができる。
【００３６】
ＰＡ信号発生源１３からのＰＡ信号の超音波探触子の各素子への到達時間は、ＰＡ信号発生源１３と素子との間の距離に比例する。到達時間は、ＰＡ信号の発生時刻から素子の受信時刻までの時間であり、ＰＡ信号発生時刻がわかれば、受信部３２が受信した受信時刻の情報から算出することができる。ＰＡ信号発生源１３からＰＡ信号が発せられた時刻は、光発生部１５からレーザ光を発した時刻と同時とみなすことができるので、レーザ光の発生時に、光発生部１５から超音波送信のためのトリガー信号が制御部４０に送られている場合には、このトリガー信号を受信した時刻から、レーザ発生時刻即ちＰＡ信号発生時刻を計算することができる。
【００３７】
また光発生部１５がパルス状レーザ光を照射する際に、パルス発生タイミングを制御部４０が受け取り、ＰＡ信号発生時刻を得ることも可能である。
【００３８】
解析部３５３は、ＰＡ信号発生時刻をもとに、次式（１）、（２）により超音波探触子（各素子）からＰＡ信号発生源１３の位置（ｘｃ、ｙｃ）を算出する。ｘｃは超音波探触子のラテラル方向の距離、ｙｃは超音波探触子の深度方向の距離であり、アレイの中心位置を原点とする。
【数１】
2020121039.tif 000003
【数２】
2020121039.tif 000004
【００３９】
式中、Ｎは１Ｄアレイの素子数、ｎは１〜Ｎのいずれかの整数で、ｘｎはｎ番目の素子の座標、ｔｎはｎ番目の素子への到達時間、δｘは演算格子間隔（隣接する素子間の間隔でもよい）、Ｃは音速である。
【００４０】
こうして算出された位置情報は、例えば、メモリ７０に格納されるとともに、超音波画像形成部３５１により形成された超音波画像（Ｂモード画像）とともに表示部６０に表示される。また解析部３５３は解析モードを繰り返し実行する場合、繰り返しごとにメモリ７０に格納された位置情報や表示される位置情報を更新する。これによりユーザは、超音波探触子２０を目的とする治療部位が撮像できる位置に固定したままで（即ち、ガイドワイヤ先端位置を検出するための超音波探触子２０の移動を不要とし、目的部位を常に撮像しながら）、ガイドワイヤの侵入にともない時々刻々変化する先端位置を表示画像上で確認しながら手技を進めることができる。
【００４１】
なおＰＡ信号発生源１３が回折波領域（撮像面）に対しラテラル方向のみならずエレベーション方向（アレイの配列方向と直交する方向）にもずれている場合、式（１）、（２）だけでは、正確なラテラル方向の位置を算出するはできない。しかし、超音波探触子のアレイ配列方向が血管の走行方向と概ね一致している限り、ターゲットに向かうガイドワイヤ先端のエレベーション方向へは大幅にずれることはないので、式（１）、（２）で算出された位置情報はガイドワイヤ先端がターゲットに対しどの程度近づいているかを知る情報として、十分にガイド支援に役立つ。
【００４２】
また、アレイの素子番号と到達時間との関係は、図６のグラフに示すように、ＰＡ信号発生源１３が回折波領域からラテラル方向に外れた位置にある場合、右端から左端に向かって或いは左端から右端に向かって曲線状に変化する。この曲率をもとに、ＰＡ信号発生源１３のラテラル方向へのずれを推定することも可能である。この場合には、解析部３５３は位置情報の算出を行うのではなく、素子位置と到達時間との関係を示すグラフの傾きをもとに、ターゲットまでの距離について「遠い」、「近い」、「回折波領域に侵入」などの定性的な判定を行い、表示部に表示させてもよい。
【００４３】
本実施形態によれば、被検体内に挿入されたガイドワイヤの先端位置が、超音波探触子の回折波領域外にあってラテラル方向に離れている場合において、超音波探触子の各素子に到達するＰＡ信号の時間差を利用することにより、ＰＡ信号発生源の位置即ちガイドワイヤの先端の位置を推定することができる。
【００４４】
なお、超音波画像形成部３５１がＰＡ信号発生源１３のＰＡ画像を作成する場合、ＰＡ信号発生源１３が回折波領域８１に入る前から、例えば解析モードを開始すると同時に順次作成してもよいが、解析モードにおいて解析部３５３が推定したＰＡ信号発生源の距離からＰＡ信号発生源１３が回折波領域８１に入ったと推定された時点で作成してもよい。回折波領域８１に存在するＰＡ信号発生源１３の画像は、回折波領域８１におけるＰＡ信号発生源１３の位置の点状の画像であるので、撮像モードで取得した撮像対象組織の超音波画像と重畳することにより、組織におけるＰＡ信号発生源１３の位置を確認することができる。
【００４５】
＜第一実施形態の変形例＞
第一実施形態では、解析部３５３は光発生部１５から光発生時刻の情報を受け取り、ＰＡ信号の到達時間を算出したが、光音響デバイス１０（光発生部１５）と超音波撮像装置２０とが信号のやり取りを行わないシステムであっても、ＰＡ信号の受信時間を用いてＰＡ信号発生源を算出することが可能である。
【００４６】
本変形例のシステム構成は、図７に示すように、光発生部１５から超音波撮像装置２０にトリガー信号を送出する信号線がないことを除き、図３に示すシステム構成と同様である。撮像モードと解析モードとの切り替えは、例えば、撮像モードをフリーズした状態で、マニュアルで光音響デバイス１０を動作させて解析モードを実行する。
【００４７】
解析モードで、光発生部１５からレーザ光を照射し、ＰＡ信号発生源１３からＰＡ信号を発生させること、このＰＡ信号を超音波探触子（１Ｄアレイ探触子）の各素子で受信することは、第一実施形態と同様である。解析部３５３は、ＰＡ信号検出部３５２が取得したＰＡ信号と受信時間に関する情報を用いて、次式（３）により、ＰＡ信号発生源１３の位置（ｘｃ）を算出する。
【００４８】
【数３】
2020121039.tif 000005
式（３）は検出素子毎の式（１）の連立方程式を行列で記述したものであり、式（１）と同じ符号のものは同じ意味を持つ。式（３）において、ｔＦはＰＡ信号の発生時刻であり、ここでは未知数である。つまり、この連立方程式ではｔＦとｘｃ（ラテラル方向の距離）の２つの未知数があり、これら未知数は行列の逆問題を解くことで求めることができる。
【００４９】
こうして求めたｔＦとｘｃを用いて式（２）と同様の式（４）により、深度方向の距離ｙｃを算出することができる。
【数４】
2020121039.tif 000006
【００５０】
本変形例によれば、トリガー信号によってＰＡ信号の発生時刻を得ることができない場合にも、ＰＡ信号発生源１３の位置を推定することが可能である。
【００５１】
なお、位置検出方法は、上記実施形態及び変形例に限定されず、例えば、超音波探触子の各素子で受信したビーコン超音波信号（ＰＡ信号）を基に、通常の超音波撮像領域よりも大きい領域で整相処理を実施し、ビーコン超音波信号が結合した位置を位置特定としてもよい。あるいは、粗い整相処理を行い、信号強度が集中している領域を特定してもよい。
【００５２】
＜第二実施形態＞
第一実施形態及びその変形例では、超音波探触子の各素子に到達するＰＡ信号の時間差を利用してＰＡ信号発生源１３の位置（ラテラル方向の距離）を推定したが、本実施形態の解析部３５３は、ＰＡ信号発生源１３の三次元的な位置を推定する。推定には、１Ｄ超音波探触子２０Ａの操作によって三次元的な位置を把握可能にする手法（第一の手法）と、三次元的な位置を把握可能な超音波探触子２０Ｂを用いる手法（第二の手法）とがある。いずれの場合にも、ラテラル方向については第一実施形態と同様の手法を採用する。まず、第一の手法について説明する。
【００５３】
［第一の手法］
図８は、第一の手法による処理の流れを示す図である。図示するように、本実施形態においても、第一実施形態と同様に、まず各素子のＰＡ信号の到達時間差を用いて、ＰＡ信号発生源１３の位置（ｘｃ、ｙｃ）を算出するとともに（Ｓ８０１）、各素子が受信したＰＡ信号の受信強度（積算値）を算出する（Ｓ８０２）。次に、ステップＳ８０２で算出したＰＡ信号の強度が、所定の閾値よりも低い場合（Ｓ８０３）、表示画像形成部３５４にその情報を送る。表示画像形成部３５４は、超音波探触子２０のあおり操作を促すＧＵＩを形成し、表示部６０に表示させる（Ｓ８０４）。
【００５４】
この間、例えば、光発生部１５はパルス状のレーザ光の発生を継続しており、解析部３５３はステップＳ８０２の信号強度の算出が継続する（Ｓ８０５、Ｓ８０６）。そして、表示部６０に表示されたＧＵＩに従って、ユーザが超音波探触子２０をエレベーション方向（ラテラル方向と直交する方向）にあおり操作を行うと、指向性によって感度が上がり信号強度も上がる。図９にあおり角と信号強度との関係の一例を示す。図９（ａ）は１Ｄアレイの超音波探触子２０Ａをラテラル方向から見た図、図９（ｂ）はあおり角と信号強度との関係を示すグラフである。解析部３５３は、このような、あおり角の変化に伴う信号強度の変化を検出し、信号強度が最大となるあおり角を求める（Ｓ８０７）。これにより、エレベーション方向のＰＡ信号発生源１３の位置を検出することができる。この場合、ステップＳ８０１でＰＡ信号発生源１３のラテラル方向の位置がわかっているので、この位置と信号強度が最大となるあおり角とを用いることで幾何学的にエレベーション方向の位置を算出することができる（Ｓ８０８）。
【００５５】
なお上記説明では、ユーザのあおり操作を促すＧＵＩを表示部６０に表示させることとしたが、ユーザによっては、ＧＵＩ等による促しがなくても習慣的に超音波探触子のあおり操作を行う場合もありえる。そのような場合には、ＧＵＩの表示（Ｓ８０３、Ｓ８０４）を省略することも可能であり、単にユーザの操作に伴ってステップＳ８０２の信号強度の算出と、ステップＳ８０７の信号強度が最大となるあおり角の検出を自動で行い、ＰＡ信号発生源１３の位置を検出してもよい。
【００５６】
［第二の手法］
第一の手法では、超音波探触子２０を操作してあおり角を変えることにより、撮像領域（撮像断面）からエレベーション方向に外れた位置にあるＰＡ信号発生源１３の位置を推定したが、第二の手法は、２次元方向に素子が配列した２Ｄアレイ探触子を用いることにより２方向の位置を検出する。
【００５７】
２つの配列方向（第一の方向と第二の方向）の位置の検出は、第一実施形態において、ＰＡ信号到達時間の素子間の時間差を用いてラテラル方向の位置推定を行ったのと同様であり、各方向の素子の配列において、素子間の時間差を用いて、式（１）、（２）或いは式（３）、（４）により、それぞれ２方向の位置を算出することができる。但し、これら式において、ｘｃは超音波探触子の第一の方向の距離、或いは第二の方向の距離と読み替える。
別途算出したこうして求めた第一及び第二の方向の距離を用いて、ＰＡ信号発生源１３の三次元位置を算出することができる。
【００５８】
なお超音波探触子２０には、いわゆる２Ｄアレイ探触子とは別に、１Ｄアレイを３列程度配列した１Ｄ３列探触子と呼ばれる探触子がある。このような超音波探触子は、ラテラル方向（配列素子数が多い方向）とエレベーション方向（配列素子数が少ない方向）とが区別され、１Ｄアレイと同様と同様の用いられ方をする。超音波探触子２０が１Ｄ３列探触子の場合には、１Ｄアレイと同様に、あおり操作を行った場合の信号強度の変化に基づき、あおり角からエレベーション方向のＰＡ信号発生源１３の位置を検出してもよい。その場合、ラテラル方向の位置情報は、３列のアレイそれぞれの素子間時間差を用いて算出し平均化して用いてもよいし、個々の素子と音源位置との距離関係を考慮することでラテラル方向の位置算出精度を高めることができる。
【００５９】
一般に血管は組織内で直線状に走行しているだけでなく、曲がったり分岐したりしている。従ってラテラル方向の位置だけでは、正確にその進行状況を把握することができない場合がある。本実施形態によれば、エレベーション方向の位置情報を取得することで、より正確に超音波発生源の位置の把握が可能になる。
【００６０】
またガイドワイヤが目的とする血管から逸れて別の血管に入り込んだりする場合、第一実施形態で推定した超音波発生源のラテラル方向の距離からガイドワイヤ先端位置が回折波領域に入っていると判定される可能性があるが、本実施形態によれば、ラテラル方向のみならずエレベーション方向についても位置情報を取得することにより、ガイドワイヤが目的血管から外れていることなどを推定することができる。
【００６１】
＜第三実施形態＞
第一実施形態および第二実施形態では、解析部３５３は、超音波発生源からの超音波が超音波探触子に到達する時間の素子間の差（到達時間差）を利用して、超音波発生源の位置を推定したが、本実施形態では、到達時間差に応じてビーコン超音波画像（ＰＡ画像）に生じる画像の特徴、具体的にはスプリットを用いて距離を推定する。即ち、本実施形態の超音波撮像装置は、超音波画像形成部３５１が、ビーコン超音波信号を用いて超音波発生源の画像を形成する機能を有し、解析部３５３は超音波画像形成部３５１が作成した超音波発生源の画像の情報から超音波発生源１３の位置を推定する。
【００６２】
ビーコン超音波画像に生じる到達時間差の影響について説明する。ビーコン超音波信号の代表例としてＰＡ信号について説明するが、それ以外の超音波でも同様である。
ＰＡ信号は超音波なので、各素子に到達する波の位相が素子毎に異なる。ＰＡ画像の作成はこれら位相がずれた信号をコンボリューションすることにより得られる。この際、回折波領域内から発生する信号であれば、整相されて一つの像となるが、回折波領域から外れた位置にあるＰＡ信号発生源の画像は、コンボリューションの影響（コンボリューション効果）により回折波領域から外れるに従い画像がぼけ、一定以上外れると上下にスプリット（分離）して複数の画像に分かれる。スプリットが生じたＰＡ画像を図１０に示す。図１０の（ａ）は、回折波領域８１との距離が異なるＰＡ信号発生源１３の複数の位置（４つの位置）を示す図で、（ｂ）は各位置におけるＰＡ画像を示す図である。図示するように、スプリットは、回折波領域からの距離が離れるほどスプリット数が増加し、スプリットした画像間の間隔は広がる。
【００６３】
本実施形態の解析部３５３は、ＰＡ画像のスプリット間の間隔を用いてた場合は、次式（５）、（６）により、ＰＡ信号発生源の位置を算出する。
【数５】
2020121039.tif 000007
【数６】
2020121039.tif 000008
【００６４】
式（５）、（６）中の符号は次のとおりである。
Yc：ラテラル方向の音源位置
Zc: エレベーション方向の音源位置
d：（エレベーション方向）短軸口径
【００６５】
こうして算出した距離をもとに、ガイドワイヤの回折波領域への接近度合い（離間度合い）を判定し、表示することは第一実施形態と同様である。また本実施形態の解析手法は第一実施形態や第二実施形態の解析と組み合わせることも可能であり、これにより、ガイドワイヤ位置に関するより詳細な情報をユーザに提示することができる。なお解析に用いたＰＡ画像は、それ自体を表示部６０に表示させてもよいが、撮像モードで取得した超音波画像に重畳して表示させることも可能である。超音波画像に重畳されたＰＡ信号発生源１３の画像は、ＰＡ信号発生源１３が回折波領域から離れている場合、超音波画像の深度の深いところに表示されるので、ユーザは組織の画像の深部に現れた点画像のスプリットを見ることで、ＰＡ信号発生源が近づく様子を確認することができる。
【００６６】
本実施形態によれば、ＰＡ画像に現れるスプリットを利用することにより、簡単に回折波領域からの接近状況を視認し、またその距離を推定することができる。
【００６７】
＜第三実施形態の変形例＞
第三実施形態は、ＰＡ画像に現れるスプリットからＰＡ信号発生源の位置を算出するが、この場合、ＰＡ信号発生源が回折波領域に進行する方向の情報は得られない。本変形例では、超音波探触子に非対称なアレイ構造を採用するとともに、非対称性がスプリットに与える効果を検出することにより、方向の情報を取得する。
【００６８】
図１１に非対称なアレイ構造の例を示す。この超音波探触子２０Ｄは、１Ｄアレイ探触子であり、素子配列方向の中心から一方の側の素子のうち一部（例えば１素子）を解析モードにおいて非作動にする。１素子を非作動する制御は、光発生部１５からレーザ光の照射を知らせるトリガー信号を受ける制御部４０が行ってもよいし、制御部４０が撮像モードと解析モードの切り替えを制御する場合にはモード切り替え時に行ってもよい。
【００６９】
この超音波探触子でも、ＰＡ信号発生源１３が回折波領域から離れていると、ＰＡ画像にはスプリットができ、そのスプリット数は距離が離れるほど増加する。ここで超音波探触子に非対称性がある場合には、スプリットも上下に非対称性が現れる。例えば図１２に示すように、配列した素子の１つの非作動素子が存在する場合、超音波探触子の回折波領域から離れた位置にあるＰＡ信号発生源１３Ａの画像は、複数の画像にスプリットするが、この際スプリットして上下方向に並ぶ複数の画像うち一つが欠損し、非作動素子が左側か右側かによって、画像欠損位置が異なる。従ってスプリットの形状（非対称性）によって回折波領域に対するＰＡ信号発生源の位置、すなわち表示された超音波画像の対象組織に対しどちら側にガイドワイヤ先端があるか、を推定することができる。
【００７０】
本変形例によれば、第三実施形態の解析部が推定した位置情報に加えて方向情報を提示することができる。なお上記説明では、非対称アレイ構造にする手段として素子の一つを非作動にする場合を示したが、素子の表面（接触側）に超音波を伝達しない材料からなるシール部材を貼付するなど物理的に非作動にすることも可能である。この場合でも、シールする素子が一つ程度であれば撮像モードへの影響は無視することができる。
【００７１】
＜第四実施形態＞
本実施形態では、超音波探触子２０をユーザが操作するのではなく、ロボットアームにより操作することが特徴である。
【００７２】
本変形例を実現するための治療支援システム１００Ａの一例を図１３に示す。図１３において、図１に示す要素と同じ要素は同じ符号で示し、重複する説明は省略する。図示するガイド支援システムは、超音波探触子２０を取り付けたロボットアーム２５と、ロボットアーム２５の駆動装置２７とを備える。
【００７３】
ロボットアーム２５は、図示していないが、例えば、超音波探触子２０を着脱自在に支持する支持部、支持部に対し軸方向に回転可能に連結され、複数のアームをリンク結合したアーム部材、アーム部材を上下方向や水平方向に駆動する機構部などを備え、これら機構部を動かすことにより、超音波探触子２０を被検体８０に接触させたり、接触させた状態で回転や平行移動させたり、あおり角を変えたりすることができる。超音波探触子２０と被検体８０の表面との間には、図中、丸で囲って示すように、ゲル状のシート部材９０が配置されている。
【００７４】
駆動装置２７はロボットアーム２５の各機構部を駆動するモータ等を備え、超音波撮像装置３０の制御部４０に接続され、制御部４０の制御のもとで作動する。
【００７５】
この支援システム１００Ａの動作は、基本的には上述した第二実施形態の変形例１と同様であり、超音波探触子の姿勢を変化させることによって二次元的な情報を取得する。但し、第二実施形態の変形例１ではマニュアル操作であおり角を変えたのに対し、本実施形態では、探触子に取り付けたロボットアームの制御によって、あおり角を異ならせる。
【００７６】
本実施形態における解析モードの動作の一例を、図１４を参照して説明する。
前提として撮像モードにおいて目的とする撮像部位を撮像領域とする超音波探触子１の位置（初期位置）が決まると、この位置で解析モードを開始する。初期位置の情報は、例えばメモリ７０に記憶される（Ｓ９０１）。解析モードでは、第一実施形態と同様に光発生部１５からレーザ光を照射し、ＰＡ信号発生源からＰＡ信号を発生させて、これを超音波探触子２０が受信する（Ｓ９０２）。解析部３５３は、超音波探触子２０の各素子へのＰＡ信号到達時間差を用いてＰＡ信号発生源の距離を推定するとともに、その信号強度を記憶する（メモリに格納）（Ｓ９０３）。
【００７７】
制御部４０は信号強度が所定の閾値以下か否かを判断し（Ｓ９０４）、閾値以下であれば、駆動装置２７に制御信号を送り、例えば、超音波探触子２０を支持する支持部２５１をアーム部２５２に対し回転させてあおり角を変える制御を行い（Ｓ９０５）、解析モードの計測を実行する（Ｓ９０６）。例えば予め設定した所定のあおり角の範囲であおり角の変更と解析モードの計測を繰り返し（Ｓ９０７）、正負を含む複数のあおり角の信号強度の情報を取得する。解析部３５３は、あおり角毎の信号強度のうち最も信号強度が高くなるあおり角を求め（Ｓ９０８）、このあおり角から、ガイドワイヤの先端が撮像領域に対しエレベーション方向のどちら側にあるのかを判定する（Ｓ９０９）。また信号強度が最大となるあおり角と、ステップＳ９０３で推定したラテラル方向の位置情報とを用いることにより、ガイドワイヤ先端の正確な距離（回折波領域までの距離）を推定してもよい。
【００７８】
解析モードから撮像モードに切り替わると、制御部４０は超音波探触子２０の位置をステップＳ９０１においてメモリ７０に記憶された初期位置に戻すように駆動機構２７を制御し、撮像モードを実行する。
【００７９】
本実施形態によれば、第二実施形態と同様に、ガイドワイヤ先端の三次元位置情報を取得することができ、その際、術者の手を煩わせることなく、正確なガイドワイヤ先端位置を提示できる。これにより術者は、ガイドワイヤの挿入とそれに続くカテーテル治療に専念することができ、高い支援効果が得られる。
【００８０】
なお本実施形態においても、ＰＡ信号発生源の距離の推定は、第一実施形態のように素子へのＰＡ信号到達時間差から直接算出してもよいし、第三実施形態のようにＰＡ画像に生じたスプリットの間隔から算出してもよい。
【００８１】
＜＜表示の実施形態＞＞
次に、上述した各実施形態により解析部が算出し推定したＰＡ信号発生源の位置や方向を提示する手法（表示画像形成部による処理）の実施形態を説明する。
【００８２】
＜表示例１＞
本表示例では、超音波画像で観察している部位にガイドワイヤが近づいてくる方向とどの程度近づいているのかという、ガイドワイヤを用いて手術の支援で最も重要な情報を提示する。図１５に方向情報を示す例を示す。
【００８３】
図１５（ａ）に示す例では、被検体組織を含む超音波画像を表示する画面１５００上に、どちらからガイドワイヤが近づいているかを示す矢印（ビーコン）１５０１を表示する。ユーザは、この表示により矢印で示す方向からガイドワイヤが近づいてくることを知ることができる。ガイドワイヤ先端が、表示されている超音波画像の撮像領域に入ったならば、ＰＡ信号発生源１３の超音波画像（ＰＡ）を超音波画像に重畳して表示してもよい（不図示）。
【００８４】
図１５（ｂ）に示す例は、超音波画像を表示する画面の両側に、ガイドワイヤ接近を知らせる方向表示部１５０２Ａ、１５０２Ｂを設けたものである。例えば、表示された超音波画像の左側からガイドワイヤが近づいている場合には、左側の方向表示部１５０２Ａが点灯し、明るくなる。右側の方向表示部１５０２Ｂは暗いままである。これによりユーザは、方向表示部が点灯している側からガイドワイヤが近づいてくることを知ることができる。この際、ガイドワイヤが存在する側の方向表示部の明度をガイドワイヤの距離に応じて変化させてもよい。例えば、ガイドワイヤが回折波領域から遠いところにあるときには、方向表示部は非点灯とし、所定の距離に近づいたときに低い明度で点灯させる。その後回折波領域との距離が縮まるにつれて方向表示部の明度を高める。
【００８５】
また図１５の方向を提示する表示に加えて、例えば第一〜第三実施形態で算出したガイドワイヤの位置情報を超音波画像の表示画面の端部などに併せて表示してもよい。位置情報としては、第一実施形態で算出したＰＡ信号発生源１３の位置や、超音波画像上の特定の組織（例えばターゲット）までの距離などの数値でもよいし、「遠（200mm以上）」「近（100mm以内）」などの定性的な表示でもよい。解析部が推定する位置情報は、解析モードを繰り返すことによって変化するので、変化に合わせて表示を更新する。
【００８６】
本表示実施形態によれば、ガイドワイヤを用いて手術の支援を行う際に、最も重要な情報であるガイドワイヤの方向と接近とを超音波画像上に提示することができる。これにより術者はガイドワイヤの挿入に注力しながらその進行具合を視覚的に確認することができる。
【００８７】
＜表示例２＞
本表示例では、ＰＡ信号発生源の三次元的な情報を取得した場合に、超音波の三次元画像上にＰＡ信号発生源の位置を表示する。
【００８８】
２Ｄアレイ探触子２０Ｂを用いた場合や１Ｄアレイ探触子をエレベーション方向に掃引操作して撮像した場合には、三次元の超音波画像データが得られる。表示画像形成部３５５は、三次元画像データを用いて、図１６に示すような、レンダリング画像１６００を作成し、そのレンダリング画像中の、ＰＡ信号発生源の位置に相当する位置に、所定のマーク画像１６０１を重畳する。マークは、特に限定されないが、ＰＡ信号発生源を表す球状のマークでもよいし、ＰＡ信号発生源の進行方向を示す矢印のマークでもよい。さらに時間的に変化するＰＡ信号発生源の各位置をつなげた線状のマークを示してもよい。
【００８９】
＜表示例３＞
本実施形態は、超音波画像を表示する画面に、受信したＰＡ信号の信号強度を表示する信号強度表示部を設けたものである。図１７に表示例を示す。この表示例では、画面１７００の画像と重複しない位置に時々刻々変化するＰＡ信号強度の表示部１７０１を設けたものであり、信号強度の時間変化がグラフ状に表示される。ＰＡ信号の信号強度は、ＰＡ信号発生源１３が超音波探触子からの距離（回折波領域からの距離）によって変化し、また第二実施形態の変形例１や第四実施形態のように、超音波探触子のあおり角を変化させた場合にも変化する。
【００９０】
本実施形態では、表示画像形成部３５５は、解析部３５３から受け取った時刻毎の信号強度の変化の情報を用いて、例えば横軸を時間、縦軸を信号強度とするグラフを作成し、表示画面の信号強度表示部１７０１に表示する。このグラフは解析モードの計測が繰り返されるたびに更新される。あおり角を変化させる場合には、横軸をあおり角とするグラフを作成し、表示してもよい。
【００９１】
本実施形態によれば、ガイドワイヤの進行状況を信号強度の変化として見ることができる。なお信号強度を示すグラフの表示とともに、他の表示例による表示を併せて行ってもよい。
【００９２】
以上、本発明の超音波撮像装置およびカテーテル治療支援システムの各実施形態を説明したが、各実施形態は技術的に矛盾しない限り、適宜組み合わせることが可能であり、そのような組み合わせも本発明に包含される。
【符号の説明】
【００９３】
１０：光音響デバイス、１１：ワイヤ、１２：光ファイバ、１３：ＰＡ信号発生源、１５：光発生部、２０：超音波探触子、３０：超音波撮像部（超音波撮像装置）、３１：送信部、３２：受信部、３５：信号処理部、４０：制御部、５０：入力部、６０：表示部、７０：メモリ、８０：被検体、８１：撮像領域（回折波領域）、３５１：超音波画像形成部、３５３：ＰＡ信号解析部、３５５：表示画像形成部
【図１】
2020121039.tif 000009
【図２】
2020121039.tif 000010
【図３】
2020121039.tif 000011
【図４】
2020121039.tif 000012
【図５】
2020121039.tif 000013
【図６】
2020121039.tif 000014
【図７】
2020121039.tif 000015
【図８】
2020121039.tif 000016
【図９】
2020121039.tif 000017
【図１０】
2020121039.tif 000018
【図１１】
2020121039.tif 000019
【図１２】
2020121039.tif 000020
【図１３】
2020121039.tif 000021
【図１４】
2020121039.tif 000022
【図１５】
2020121039.tif 000023
【図１６】
2020121039.tif 000024
【図１７】
2020121039.tif 000025